(57)【特許請求の範囲】
【請求項１】
光ビームを回折する回折格子をホルダーに保持してハウジングに設置する光学ヘッドにおける回折格子設置装置であって、回折格子は矩形状であり、ホルダーの前記回折格子の設置面にはこの回折格子の上下及び左右をガイドするガイド突片が回折格子の所定の対角部分に切欠き部を設けて形成され、前記回折格子を設置面に対して垂直方向からホルダーに設置し、前記切欠き部の位置で接着剤により前記回折格子を前記ホルダーに接着固定する構成としたことを特徴とする光学ヘッドにおける回折格子設置装置。
【請求項２】
前記切欠き部を前記回折格子の周囲におけるその回折格子の格子方向に対し略直角となる両側にしたことを特徴とする請求項１記載の光学ヘッドにおける回折格子調整装置。
【請求項３】
前記ガイド突片の内壁面に前記回折格子を導くテーパーを形成したことを特徴とする請求項１記載の光学ヘッドにおける回折格子調整装置。
【発明の詳細な説明】
【０００１】
【発明の属する技術分野】
本発明は、回折格子をハウジングに設置する光学ヘッドにおける回折格子設置装置に関する。
【０００２】
【従来の技術】
ディスク等の信号記録媒体に対して光学的に信号の読み取り、あるいは書き込みを行う光学ヘッドは、通常、光源となる半導体レーザー及び受光素子である光検出器が組み込まれるハウジングに、対物レンズを駆動させるアクチュエータを設置して構成される。
【０００３】
このような光学ヘッドとしては、半導体レーザーから出射されるレーザービームを回折格子により回折して回折光ビームを形成し、０次光ビームの他に±１次回折光ビームを使用し、３ビーム法や差動プッシュプル法によるトラッキング制御に対応するものが主流となっている。
【０００４】
ところで、回折格子は、信号面に照射される各回折光ビームの光スポットの位置を信号トラックに対して正しく配置するように格子方向を設定してハウジングに設置する必要がある。
【０００５】
前記回折格子は、通常ホルダーに保持されてハウジングに設置されるが、前記ホルダーをハウジングに対して所定位置に設置するようにすると共に、回折格子をホルダーに対して所定位置に設置する。これにより回折格子の格子方向を所定の向きに設定して回折格子をハウジングに設置するようにしている。
【０００６】
【発明が解決しようとする課題】
ところで、回折格子のホルダーに対する設置は、従来、矩形の回折格子を用い、ホルダーへの回折格子の設置時の浮きを左右から確認可能とするためにホルダーの所定の対向辺を開放し、ホルダーの開放されないもう一方の対向辺にのみ回折格子をガイドするガイド突片を設け、前記ホルダーの開放された対向辺に配置される治具を用いて回折格子の両側を位置出しすることにより行われ、このように回折格子を設置した後、その回折格子の両側で接着剤により接着して回折格子をホルダーに対して所定位置に固定していた。
【０００７】
前述した従来の回折格子の設置方法であると、接着時に治具による押さえを解除して接着剤を塗布する必要があるので、接着剤の塗布時に回折格子が位置ズレしてしまう危惧があった。
【０００８】
また、回折格子の接着位置を回折格子の格子方向を考慮して設定していなかったので、温度及び湿度変化によって接着剤が膨張や収縮すると格子ピッチが微妙に変化し、回折光ビームの光軸ズレが発生してディスク上及び受光素子上の光スポットのピッチが変動する懸念があった。
【０００９】
【課題を解決するための手段】
本発明は、矩形状の回折格子の上下及び左右をガイドするガイド突片がホルダーの回折格子の設置面に回折格子の所定の対角部分に切欠き部を設けて形成され、前記回折格子を設置面に対して垂直方向からホルダーに設置し、前記切欠き部の位置で接着剤により前記回折格子を前記ホルダーに接着固定する構成としている。これにより回折格子をホルダーに接着する際に回折格子が位置ズレしないようにしている。
【００１０】
【実施例】
図１は本発明に係る光学ヘッドにおける回折格子設置装置の展開状態を示す展開斜視図、図２はその回折格子設置装置の組立完了状態を示す斜視図である。
【００１１】
ホルダー１は、ハウジング（図示せず）の光路上に装着される台座部１Ａと回折格子２を保持する保持部１Ｂとから構成され、その中央には光路を確保する透孔３が形成されている。
【００１２】
前記保持部１Ｂには、回折格子２の設置面から突出して設けられるガイド突片４ａ，４ｂが一部に切欠き部５ａ，５ｂを設けて形成されており、前記ガイド突片４ａ，４ｂは回折格子２の上下及び左右をガイドして回折格子２の設置位置を決めるようになっている。
【００１３】
ここで、回折格子２は矩形状で、この場合、平行四辺形状となっており、回折格子２をホルダー１に設置させる向きが容易に判断できる。
【００１４】
回折格子２をホルダー１に設置する場合、回折格子２を保持部１Ｂの設置面に対して垂直方向からガイド突片４ａ，４ｂによりガイドさせて挿入し、回折格子２をホルダー１の所定位置に設置する。この場合、前記回折格子２はガイド突片４ａ，４ｂの内壁面に形成されるテーパー６ａ，６ｂによって回折格子２を設置すべき所定位置に導かれる。
【００１５】
このようにして回折格子２をホルダー１の所定位置に設置した後、切欠き部５ａ，５ｂの位置で回折格子２の所定の対角を接着剤７により接着して回折格子２をホルダー１に固定し、これにより回折格子２をホルダー１の保持部１Ｂに保持する。
【００１６】
ところで、前記切欠き部５ａ，５ｂの位置は、回折格子２の周囲におけるその回折格子２の格子２ａが形成される格子方向に対し略直角となる対角である。その為、温度及び湿度変化によって接着剤７が膨張や収縮し、それにより回折格子２が微妙に変位された際において、その変位方向が格子方向となる。
【００１７】
したがって、接着剤７の膨張や収縮が発生した場合において、回折光ビームの光軸ズレの発生が防止され、信号記録媒体上及び受光素子上の光スポットのピッチが変動するのが防止できる。
【００１８】
尚、前述の実施例においては、回折格子２を矩形状としているが、矩形状の角部を落とした形状、あるいは矩形状の一部を変形させた形状も実質的に矩形状であり、これらの実質的な矩形状を含めて特許請求の範囲においては矩形状としており、回折格子が実質的に矩形状であれば本発明の権利範囲を逸脱するものではない。
【００１９】
【発明の効果】
以上述べた如く、本発明に依れば、矩形状の回折格子の上下及び左右をホルダーに形成されるガイド突片によりガイドするようにしているので、回折格子をホルダーに接着する際に回折格子の位置ズレを防止することができる。
【００２０】
特に、接着剤を塗布する切欠き部を回折格子の周囲におけるその回折格子の格子方向に対し略直角となる両側にしているので、接着剤の膨張や収縮が発生した場合において、回折光ビームの光軸ズレの発生が防止され、信号記録媒体上及び受光素子上の光スポットのピッチが変動するのが防止できる。
【００２１】
また、ガイド突片の内壁面に回折格子を導くテーパーを形成しているので、ホルダーの回折格子の設置面に対して垂直方向から回折格子を容易に設置すべき所定位置に設置することができる。
【図面の簡単な説明】
【図１】本発明に係る光学ヘッドにおける回折格子設置装置の展開状態を示す展開斜視図である。
【図２】図１の回折格子設置装置の組立完了状態を示す斜視図である。
【符号の説明】
１          ホルダー
２          回折格子
４ａ，４ｂ          ガイド突片
５ａ，５ｂ          切欠き部
６ａ，６ｂ          テーパー
【図１】
0003906057.tif 000002
【図２】
0003906057.tif 000003